(57)【要約】【課題】１台の施工機で噴射式道路標示塗布と凸型リブ形成の２種類の施工を一度で可能にし、コスト低廉を図ることを目的とする。【解決手段】塗布材が収納されている塗料タンクと、塗料タンクから流出される塗布材を収納させるホッパーと、ホッパーの下方に配置した、塗布材を噴射塗布させる回転噴射式塗布機構と、回転式噴射塗布機構の塗布進行方向の前方または後方に配置した、ホッパーの上方より流出される塗布材により所要形状からなる凸型リブを路面上に形成するスリット式凸型リブ形成機構とを具備してなり、凸型リブを所要間隔をもって路面上に形成するとともに、凸型リブの上から塗布材を前記回転噴射式塗布機構により噴射塗布するか、または、帯状に路面上に塗布材を前記回転噴射式塗布機構により噴射塗布するとともに、帯状塗布膜の上にスリット式凸型リブ形成機構により凸型リブを形成するようにした。【選択図】      図１
2004308392.tif 000002
【特許請求の範囲】
【請求項１】
塗布材が収納されている塗料タンクと、この塗料タンクから流出される塗布材を収納させるホッパーと、このホッパーの下方に配置した、前記塗布材を噴射塗布させる回転噴射式塗布機構と、この回転噴射式塗布機構の塗布進行方向の前方または後方に配置した、前記ホッパーの上方より流出される塗布材により所要形状からなる凸型リブを路面上に形成するスリット式凸型リブ形成機構とを具備してなり、凸型リブを所要間隔をもって路面上に形成するとともに、この凸型リブの上から前記塗布材を前記回転噴射式塗布機構により噴射塗布するか、または、帯状に路面上に前記塗布材を前記回転噴射式塗布機構により噴射塗布するとともに、この帯状塗布膜の上に前記スリット式凸型リブ形成機構により凸型リブを形成するようにしたことを特徴とする凸型リブ付道路標示施工機。
【請求項２】
塗布材が収納されている塗料タンクと、この塗料タンクの下方に配置した、塗布材を噴射塗布させる回転噴射式塗布機構と、この回転噴射式塗布機構の塗布進行方向の前方または後方に配置した、前記塗料タンクより流出される塗布材により所要形状からなる凸型リブを路面上に形成するスリット式凸型リブ形成機構とを具備してなり、凸型リブを所要間隔をもって路面上に形成するとともに、この凸型リブの上から塗布材を前記回転噴射式塗布機構により噴射塗布するか、または、帯状に路面上に塗布材を前記回転噴射式塗布機構により噴射塗布するとともに、この帯状塗布膜の上に前記スリット式凸型リブ形成機構により凸型リブを形成するようにしたことを特徴とする凸型リブ付道路標示施工機。
【請求項３】
帯状塗布膜を形成する塗布材が収納されている第１の塗料タンクと、凸型リブを形成する塗布材が収納されている第２の塗料タンクと、前記第１の塗料タンクより流出される塗布材を噴射塗布させる回転噴射式塗布機構と、前記第２の塗料タンクより流出される塗布材により所要形状からなる凸型リブを路面上に形成するスリット式凸型リブ形成機構とを具備してなり、凸型リブを所要間隔をもって路面上に形成するとともに、この凸型リブの上から塗布材を前記回転噴射式塗布機構により噴射塗布するか、または、帯状に路面上に塗布材を前記回転噴射式塗布機構により噴射塗布するとともに、この帯状塗布膜の上に前記スリット式凸型リブ形成機構により凸型リブを形成するようにしたことを特徴とする凸型リブ付道路標示施工機。
【請求項４】
請求項３に記載の凸型リブ付道路標示施工機において、第１の塗料タンクと第２の塗料タンクにそれぞれ収納される塗布材は、それぞれ異なる材料にしたことを特徴とする凸型リブ付道路標示施工機。
【請求項５】
請求項３乃至請求項４に記載の凸型リブ付道路標示施工機において、第１の塗料タンクと第２の塗料タンクにそれぞれ収納される塗布材の温度をそれぞれ調節するための温度調節器を、第１の塗料タンクと第２の塗料タンクにそれぞれ近接設けたことを特徴とする凸型リブ付道路標示施工機。
【発明の詳細な説明】
【０００１】
【発明の属する技術分野】
本発明は、凸型リブ付道路標示施工機に関するものである。
【０００２】
【従来の技術】
従来、路面に例えば車線境界線、車道中央線、車道外側線などの標示用として用いられる道路標示塗布施工機としては、例えば特公平７−６２３２５号公報に示すように、熱可塑性路面標示用塗料を路面上に所要厚の平坦な帯状塗布膜と所要形状からなる小突起物を所要間隔をもって同時に形成するようにしたものが公知であった。
また、噴射式道路標示塗布施工機としては、例えば特開平１０−１０２４１８号公報に示すように、特に排水性舗装道路の路面上に道路標示線を噴射塗布するようにしたものが公知であった。
【０００３】
【発明が解決しようとする課題】
ところで、前者のような施工機では、所要厚の平坦な帯状塗布膜と所要形状からなる小突起物とを同じ材料で路面上に同時に形成したので、路面上に形成された道路標示線での排水性については全く考慮されていないものであった。
また、平坦な帯状塗布膜と所要形状からなる小突起物とを別々の施工機で施工しようとすると、そのための専用の施工機を準備する必要があり、作業性が悪く、厄介であり、コスト高となるなどの問題点もあった。
また、後者のような施工機では、排水性舗装道路の路面上に道路標示線を噴射塗布したので、路面上での排水性は良いが、平坦な帯状塗布膜と所要形状からなる凸型リブとを路面上に同時に形成する点については全く考慮されていないものであった。
【０００４】
【課題を解決するための手段】
本発明の凸型リブ付道路標示施工機は、上記課題を解決すべくなされたものであり、塗布材が収納されている塗料タンクと、この塗料タンクから流出される塗布材を収納させるホッパーと、このホッパーの下方に配置した、前記塗布材を噴射塗布させる回転噴射式塗布機構と、この回転噴射式塗布機構の塗布進行方向の前方または後方に配置した、前記ホッパーの上方より流出される塗布材により所要形状からなる凸型リブを路面上に形成するスリット式凸型リブ形成機構とを具備してなり、凸型リブを所要間隔をもって路面上に形成するとともに、この凸型リブの上から前記塗布材を前記回転噴射式塗布機構により噴射塗布するか、または、路面上に帯状に前記塗布材を前記回転噴射式塗布機構により噴射塗布するとともに、この帯状塗布膜の上に前記スリット式凸型リブ形成機構により凸型リブを形成するようにしたことを特徴とする。
【０００５】
また、本発明の凸型リブ付道路標示施工機は、塗布材が収納されている塗料タンクと、この塗料タンクの下方に配置した、塗布材を噴射塗布させる回転噴射式塗布機構と、この回転噴射式塗布機構の塗布進行方向の前方または後方に配置した、前記塗料タンクより流出される塗布材により所要形状からなる凸型リブを路面上に形成するスリット式凸型リブ形成機構とを具備してなり、凸型リブを所要間隔をもって路面上に形成するとともに、この凸型リブの上から塗布材を前記回転噴射式塗布機構により塗布するか、または、路面上に帯状に塗布材を前記回転噴射式塗布機構により噴射塗布するとともに、この帯状塗布膜の上に前記スリット式凸型リブ形成機構により凸型リブを形成するようにしたことを特徴とする。
【０００６】
また、本発明の凸型リブ付道路標示施工機は、帯状塗布膜を形成する塗布材が収納されている第１の塗料タンクと、凸型リブを形成する塗布材が収納されている第２の塗料タンクと、前記第１の塗料タンクより流出される塗布材を噴射塗布させる回転噴射式塗布機構と、前記第２の塗料タンクより流出される塗布材により所要形状からなる凸型リブを路面上に形成するスリット式凸型リブ形成機構とを具備してなり、凸型リブを所要間隔をもって路面上に形成するとともに、この凸型リブの上から塗布材を前記回転噴射式塗布機構により噴射塗布するか、または、路面上に帯状に塗布材を前記回転噴射式塗布機構により噴射塗布するとともに、この帯状塗布膜の上に前記スリット式凸型リブ形成機構により凸型リブを形成するようにしたことを特徴とする。
【０００７】
また、本発明の凸型リブ付道路標示施工機において、第１の塗料タンクと第２の塗料タンクにそれぞれ収納される塗布材は、それぞれ異なる材料にしたことを特徴とする。
【０００８】
さらにまた、本発明の凸型リブ付道路標示施工機において、第１の塗料タンクと第２の塗料タンクにそれぞれ収納される塗布材の温度をそれぞれ調節するための温度調節器を、第１の塗料タンクと第２の塗料タンクにそれぞれ近接設けたことを特徴とする。
【０００９】
【発明の実施の形態】
以下、図面を参照して本発明に係る凸型リブ付道路標示施工機の実施の形態を詳細に説明する。
図１は、本発明に係る凸型リブ付道路標示施工機の第１の実施例を示す概略側面図であり、図２は、同上面図である。図３は、第１の実施例の要部を示す側面図であり、図４は、同正面図である。図５は、同施工機で塗布する帯状塗布膜と形成する凸型リブの断面図であり、図６は、同上面図である。図７は、同施工機における成型板の実施例を示す斜視図である。
【００１０】
図１乃至図７において、１は例えば熱可塑性路面標示用塗料からなる塗布材が収納されている塗料タンクであり、２はこの塗料タンク１から樋１ａを介して流出される塗布材を収納させるホッパーである。３はこのホッパー２の下方に設けられた塗布材を噴射塗布させる（図５、図６中帯状塗布膜３ａ）周知の回転噴射式塗布機構である。４はこの回転噴射式塗布機構３の塗布進行方向Ｘの前方に設けられた前記ホッパー２の上方より流出される塗布材によって所要形状からなる凸型リブ（図５、図６中４ａ）を路面上に形成する周知のスリット式凸型リブ形成機構である。
このように、本発明に係る凸型リブ付道路標示施工機は、１台の手押し或いは自走施工機５に前記塗料タンク１と回転噴射式塗布機構３とスリット式凸型リブ形成機構４とが設けられているものである。
【００１１】
前記塗布材を噴射塗布させる回転噴射式塗布機構３は、前記ホッパー２の下方に地上より離間して、それぞれ下方に向って内接方向に回転させるように配置した２個の金属製円筒状回転体６、７と塗布材噴射流出用シャッター８、エアーシリンダー９により構成されている。
【００１２】
前記ホッパー２の上方には、塗布材流出口１０が設けられ、この塗布材流出口１０の外側には、レバー１１の操作により開閉されるシャッター１２が取り付けられている。前記塗布材流出口１０には、シャッター１２を介して塗布材流出樋１３が斜めに設けられ、この塗布材流出樋１３の先端１３ａは、前記凸型リブ形成機構４のスリットボックス１４の上方開口部１４ａに位置している。凸型リブ塗布施工時、路面ＧＬに密着させるスリットボックス１４の底部には、吐出口１５が設けられ、この吐出口１５の上方には、図７に示すような下部に１個乃至複数個の台形状の溝１６ａを設けた成型板１６が設けられている。この成型板１６の前面にはエアーシリンダー１７で開閉される遮蔽板１８が対向配置されている。
【００１３】
次に、本発明に係る凸型リブ付道路標示施工機の動作について説明する。
まず、前記スリット式凸型リブ形成機構４のレバー１１を操作してシャッター１２を開いて前記ホッパー２に収納されている熱可塑性路面標示用塗料からなる塗布材を、ホッパー２の塗布材流出口１０から流出させ、塗布材流出樋１３を介してスリットボックス１４に供給される。このスリットボックス１４に供給される時の塗布材の温度は、前記ホッパー２に収納されている時の温度（例えば約１８０℃乃至２００℃）より約１０℃乃至２０℃位低くなっている。
【００１４】
このスリットボックス１４に供給された塗布材は、エアーシリンダー１７の動作によって遮蔽板１８が開かれた時、成型板１６に設けられた台形状の溝１６ａから吐出口１５を介して流出され、路面ＧＬ上に溝１６ａの形に規制された形状の凸型リブ４ａが形成され、引き続きこの凸型リブ４ａの上から前記ホッパー２の下方に設けられた回転噴射式塗布機構３によって塗布材が噴射塗布（帯状塗布膜３ａ）される。
【００１５】
次にエアーシリンダー１７の動作によって遮蔽板１８が成型板１６に設けられた台形状の溝１６ａを塞ぐようにすると、成型板１６の溝１６ａからの塗布材流出は遮断され、路面ＧＬ上には凸型リブ４ａが形成されなく、前記回転噴射式塗布機構３のみによって塗布材が噴射塗布される（帯状塗布膜３ａ）。１９は前記手押し或いは自走施工機５に取り付けられている周知のガラスビーズ散布機である。
【００１６】
このような本発明に係る凸型リブ付道路標示施工機によれば、図５、図６に示すようにスリット式凸型リブ形成機構４により凸型リブ４ａを所要間隔をもって路面ＧＬ上に形成した後、引き続きこの凸型リブ４ａの上から塗布材を前記回転噴射式塗布機構３により噴射塗布させている（帯状塗布膜３ａ）。
【００１７】
このように、本発明に係る凸型リブ付道路標示施工機によれば、いかなる交通区分形態の道路標示の塗装をも可能とし、かつ良好な排水効果と共に、良好な視認効果が得られるものである。
すなわち、この排水効果と視認効果とを、例えば塗布材が塗布された排水性舗装路面に基づいて説明すると、夜間・晴天時の場合では、塗膜の表面が舗装の凹凸をそのまま残すため、凸型リブ４ａに対する反射面積が大となり、ラインをはっきり視認することができる。
また、夜間・雨天時の場合であるが、ライン上の雨水が滞留することなく排水するため、雨天時の凸型リブ４ａに対する夜間反射が確保される。
【００１８】
図８は、本発明に係る凸型リブ付道路標示施工機の第２の実施例を示す概略側面図であり、図９は、同上面図である。
図中、１は例えば熱可塑性路面標示用塗料からなる塗布材が収納されている塗料タンクであり、２はこの塗料タンク１から樋１ａを介して流出される塗布材を収納させるホッパーである。３はこのホッパー２の下方に設けられた塗布材を噴射塗布させる（図５、図６中帯状塗布膜３ａ）周知の回転噴射式塗布機構である。４はこの回転噴射式塗布機構３の塗布進行方向Ｘの前方に設けられた前記塗料タンク１から樋１ｂを介して流出される塗布材によって所要形状からなる凸型リブ（図５、図６中４ａ）を路面上に形成する周知のスリット式凸型リブ形成機構である。
このように、本発明に係る凸型リブ付道路標示施工機は、１台の手押し或いは自走施工機５に前記塗料タンク１と回転噴射式塗布機構３とスリット式凸型リブ形成機構４とが設けられている。
【００１９】
図１０は、本発明に係る凸型リブ付道路標示施工機の第３の実施例を示す概略側面図であり、図１１は、同上面図である。
各図中、２０は帯状塗布膜を形成する例えば熱可塑性路面標示用塗料からなる塗布材が収納されている第１の塗料タンクであり、２はこの第１の塗料タンク２０から樋２０ａを介して流出される塗布材を収納させるホッパーである。３はこのホッパー２の下方に設けられた前記塗布材を噴射塗布させる（図５、図６中帯状塗布膜３ａ）周知の回転噴射式塗布機構である。４はこの回転噴射式塗布機構３の塗布進行方向Ｘの前方に設けられた所要形状からなる凸型リブ（図５、図６中４ａ）を路面上に形成する周知のスリット式凸型リブ形成機構である。２１は凸型リブを形成する塗布材が収納されている第２の塗料タンクであり、凸型リブを形成する塗布材は、第２の塗料タンク２１から樋２１ａを介して前記スリット式凸型リブ形成機構４に流出される。
【００２０】
このように、本発明に係る凸型リブ付道路標示施工機は、１台の手押し或いは自走施工機５に前記第１の塗料タンク２０と前記第２の塗料タンク２１と回転噴射式塗布機構３とスリット式凸型リブ形成機構４とが設けられている。
本実施例では、塗料タンクを２個設けたので、施工条件により塗布材の種類を変えることが出来るし、また、第１の塗料タンクと第２の塗料タンクにそれぞれ収納される塗布材の温度をそれぞれ調節するための温度調節器（図示せず）を、第１の塗料タンクと第２の塗料タンクにそれぞれ近接設けることができるので、それぞれの塗料タンクに収納されている塗布材の設定温度を適宜調節することが出来る。
【００２１】
なお、前記各実施例では、スリット式凸型リブ形成機構４を、回転噴射式塗布機構３の塗布進行方向の前方に設けた場合について説明したが、これに限らず図１２および図１３に示すように第４実施例におけるスリット式凸型リブ形成機構４を、回転噴射式塗布機構３の塗布進行方向の後方に設けた場合でも適用されること勿論である。
【００２２】
図１２は、本発明に係る凸型リブ付道路標示施工機の第４の実施例を示す概略側面図であり、図１３は、同上面図である。図１４は、同施工機で塗布する帯状塗布膜と形成する凸型リブの断面図であり、図１５は、同上面図である。
この場合は、路面ＧＬ上に帯状に塗布材３ａを前記回転噴射式塗布機構３により噴射塗布させてから、引き続きこの帯状塗布膜３ａの上に前記スリット式凸型リブ形成機構４により凸型リブ４ａを形成させるようにしたものである。
【００２３】
また、各実施例では、特に排水性舗装道路に対して本発明に係る凸型リブ付道路標示施工機を適用した場合について説明したが、これに限らず一般舗装道路に対しても適用できること勿論である。
【００２４】
【発明の効果】
本発明に係る凸型リブ付道路標示施工機は、以上詳述した各実施例のような構成にしたものであるから、平坦な帯状塗布膜と所要形状からなる凸型リブとを別々に施工する専用の施工機を準備することなく、１台の施工機で噴射式道路標示塗布と凸型リブ形成の２種類の施工を一度で高能率に可能となり、作業性が良く、また凸型リブ形成可能な熱可塑性路面標示用塗料により排水性舗装路面に対しても排水性効果を失わずに平均厚に馴染み良く塗布できると共に、視認性が従来のものより極めて良好となる。また作業性コスト、材料費も低廉となるなどの効果がある。
【００２５】
また、いかなる交通区分形態の道路標示の塗装をも可能とし、かつ良好な排水効果と共に、良好な視認効果が得られ、例えば塗布材が塗布された排水性舗装路面において、夜間・晴天時の場合では、塗膜の表面が舗装の凹凸をそのまま残すため、また、凸型リブに対する反射面積も大となり、ラインをはっきり視認することができる効果がある。
また、夜間・雨天時の場合では、ライン上の雨水が滞留することなく排水するため、雨天時の凸型リブに対する夜間反射が確保される効果がある。
【図面の簡単な説明】
【図１】本発明に係る凸型リブ付道路標示施工機の第１の実施例を示す概略側面図である。
【図２】同上面図である。
【図３】第１の実施例の要部を示す側面図である。
【図４】同正面図である。
【図５】同施工機で塗布する帯状塗布膜および形成する凸型リブの断面図である。
【図６】同上面図である。
【図７】同施工機における成型板の実施例を示す斜視図である。
【図８】本発明に係る凸型リブ付道路標示施工機の第２の実施例を示す概略側面図である。
【図９】同上面図である。
【図１０】本発明に係る凸型リブ付道路標示施工機の第３の実施例を示す概略側面図である。
【図１１】同上面図である。
【図１２】本発明に係る凸型リブ付道路標示施工機の第４の実施例を示す概略側面図である。
【図１３】同上面図である。
【図１４】同施工機で塗布する帯状塗布膜と形成する凸型リブの断面図である。
【図１５】同上面図である。
【符号の説明】
１      塗料タンク
１ａ    樋
２      ホッパー
３      周知の回転噴射式塗布機構
３ａ    帯状塗布膜
４      周知のスリット式凸型リブ形成機構
４ａ    凸型リブ
５      手押し或いは自走施工機
６、７  金属製円筒状回転体
８      塗布材噴射流出用シャッター
９      エアーシリンダー
１０    塗布材流出口
１１    レバー
１２    シャッター
１３    塗布材流出樋
１３ａ  塗布材流出樋１３の先端
１４    スリットボックス
１４ａ  スリットボックス１４の上方開口部
１５    吐出口
１６    成型板
１６ａ  台形状の溝
１７    エアーシリンダー
１８    遮蔽板
１９    周知のガラスビーズ散布機
２０    第１の塗料タンク
２０ａ  樋
２１    第２の塗料タンク
２１ａ  樋
ＧＬ    路面
【図１】
2004308392.tif 000003
【図２】
2004308392.tif 000004
【図３】
2004308392.tif 000005
【図４】
2004308392.tif 000006
【図５】
2004308392.tif 000007
【図６】
2004308392.tif 000008
【図７】
2004308392.tif 000009
【図８】
2004308392.tif 000010
【図９】
2004308392.tif 000011
【図１０】
2004308392.tif 000012
【図１１】
2004308392.tif 000013
【図１２】
2004308392.tif 000014
【図１３】
2004308392.tif 000015
【図１４】
2004308392.tif 000016
【図１５】
2004308392.tif 000017